(57)【要約】      （修正有）【課題】光学素子の倒れを防止して、光学特性を良好に維持する光学用梱包トレイを提供する。【解決手段】両主面を平行平面に形成された複数の光学素子７の一端を容器本体１の底面に設けられた粘着テープに立設して縦横に配設し、前記複数の光学素子７を個々に収容する穴３が設けられたカバー２を被せてなる光学用梱包トレイにおいて、前記カバー２の穴３は前記光学素子７の立設した先端側が突出する開口部８を有し、前記開口部８は長円状である構成とする。【選択図】図１
2008179414.tif 000002
【特許請求の範囲】
【請求項１】
両主面を平行平面に形成された複数の光学素子の一端を容器本体の底面に設けられた粘着テープに立設して縦横に配設し、前記複数の光学素子を個々に収容する穴が設けられたカバーを被せてなる光学用梱包トレイにおいて、前記カバーの穴は前記光学素子の立設した先端側が突出する開口部を有し、前記開口部は長円状であることを特徴とする光学用梱包トレイ。
【請求項２】
請求項１において、前記カバーは内カバーとして前記穴の外周に縦横の溝を有し、前記容器本体の開口部は外カバーによって閉塞された光学用梱包トレイ。
【請求項３】
請求項２において、前記外カバーは前記縦横の溝の少なくともいずれかに嵌入する仕切部を有する光学用梱包トレイ。
【請求項４】
請求項１において、前記長円状とした開口部の長軸方向の両端側には窪みを設けた光学用梱包トレイ。
【請求項５】
請求項１において、前記光学素子は少なくとも一主面に光学膜を有する光学用梱包トレイ。
【請求項６】
請求項１、２、３又は４の光学用梱包トレイに収容されたことを特徴とする光学素子。
【発明の詳細な説明】
【技術分野】
【０００１】
本発明は光学素子を梱包する光学用梱包トレイ及びこれに収容された光学素子を技術分野とし、特に光学素子の特性を良好に維持して搬送し得る光学用梱包トレイに関する。
【背景技術】
【０００２】
（発明の背景）
光学素子は水晶やガラス等からなり、カメラ等を含めた各種の光学機器に組み込まれ、その需要も拡大している。これらは、通常ではプラスチック（樹脂）からなる光学用梱包トレイに収納されて搬送される。
【０００３】
（従来技術の一例）
第３図は一従来例を説明する光学用梱包トレイの図で、同図（ａ）はカバーを除く平面図、同図（ｂ）はカバーの平面図、同図（ｃ）は一部断面図である。
【０００４】
光学用梱包トレイはいずれも金型を用いた樹脂成形によって形成された容器本体１とカバー２とからなる。容器本体１は凹状として開口端面を有する。カバー２は主面の外周に枠壁を有し、枠壁の延出方向に向かう縦横の穴３を一主面側に有する。そして、カバー２の他主面側には各穴間を横断する溝４を有する。容器本体１の開口端面とカバー２の枠壁にはそれぞれフランジを有する。
【０００５】
容器本体１の内底面には例えば直線状とした複数のクッション材５が平行に並べて固着され、複数のクッション材５上には両面粘着シート６が敷設される。なお、クッション材５を単一板とし、直線状とした複数の両面粘着シート６を並べても、あるいは、いずれも単一板としても、さらにはいずれも直線状として複数から形成してもよく、これらは任意に設定できる。
【０００６】
そして、クッション材５上となる両面粘着シート６上には、複数の光学素子７の一端側となる外周側面（端面）が固着されて縦横に配設される。光学素子７は例えば矩形状として両主面を平行平面とし、例えば赤外線の透過を防止する図示しないＩＲカット膜を一主面に、反射防止膜を他主面に形成する。これらのＩＲカット膜や反射防止膜を含む光学膜は例えば蒸着によって形成される。
【０００７】
そして、カバー２を被せて縦横に設けられた穴３内に各光学素子７を収容する。この場合、カバー２の外周領域の枠壁外周が容器本体１の枠壁内周に密接し、容器本体１の開口端面及びカバー２の枠壁のフランジ同士が密接する。これにより、外部からのゴミの侵入を防止する。
【０００８】
このようなものでは、ユーザへの出荷後に、ユーザは容器本体１のカバー２を外して、手動によるピンセットや自動機器のマニュピレータによって、光学素子７を順番に移載し、図示しない光学機器に装着する。この場合、光学素子７の両主面には触れずに、例えば外周側面を掴んで移載する。なお、光学素子の両主面にピンセットやマニュピレータが接触すると、光学膜を損傷したり、ゴミを生じたりして光学特性を悪化する。
【特許文献１】特開平９−３０５９３号公報
【発明の開示】
【発明が解決しようとする課題】
【０００９】
（従来技術の問題点）
しかしながら、上記構成の光学用梱包トレイでは、搬送時における衝撃等によって、光学素子７が粘着シート６から剥がれたり、粘着力が弱まったりする。このため、光学素子７が小さい場合は、穴３内で倒れる。また、光学素子７が比較的大きい場合は、穴３の内周面にもたれ、容器本体１のカバー２を外した後、光学素子７が倒れる。さらには、隣接する光学素子７に衝突する。
【００１０】
したがって、これらの場合には、光学素子７の主面特にＩＲカット膜や反射防止膜等の光学膜に傷が付く。また、光学素子７の主面が粘着テープ６に当接するので、粘着性のごみが付着する。したがって、光学特性の劣化を招き、現実には使用不可となる問題があった。さらには、光学素子７が倒れることによって、自動機器のマニュピレータ等によって掴むことができず、ユーザ側において生産に支障を来たす問題もあった。
【００１１】
（発明の目的）
本発明は光学素子の倒れを防止して、光学特性を良好に維持する光学用梱包トレイを提供することを目的とする。
【課題を解決するための手段】
【００１２】
本発明は、特許請求の範囲（請求項１）に示したように、両主面を平行平面に形成された複数の光学素子の一端を容器本体の底面に設けられた粘着テープに立設して縦横に配設し、前記複数の光学素子を個々に収容する穴が設けられたカバーを被せてなる光学用梱包トレイにおいて、前記カバーの穴は前記光学素子の立設した先端側が突出する開口部を有し、前記開口部は楕円状である構成とする。
【発明の効果】
【００１３】
このような構成であれば、光学素子が粘着テープから剥がれて倒れようとしても、光学素子の先端側は穴の開口部の内周に当接して倒れを防止する。そして、穴の開口部を楕円状とするので、光学素子の稜線部が当接するのみで、両主面は接触しない。したがって、光学素子の特性を良好に維持する。また、光学素子の先端側は穴の開口部から突出するので、マニュピュレータ等によって掴むことができる。
【００１４】
（実施態様項）
本発明の請求項２では、請求項１において、前記カバーは内カバーとして前記穴の外周に縦横の溝を有し、前記容器本体の開口部は外カバーによって閉塞される。これにより、外部からのごみの侵入を防止して光学素子を清潔に維持する。
【００１５】
同請求項３では、請求項２において、前記外カバーは前記縦横の溝の少なくともいずれかに嵌入する仕切部を有する。これにより、外カバーの仕切部によって内カバーを固定し、例えば内カバーの位置ずれを防止して光学素子を穴内に確実に収容する。
【００１６】
同請求項４では、請求項１において、前記長円状とした開口部の長軸方向の両端側には窪みを設ける。これにより、ピンセットやマニュピレータによって光学素子の両側面を掴んで取り出す際、ピンセットやマニュピレータの挿入を容易する。したがって、光学素子の取り出しを容易にする。
【００１７】
同請求項５では、請求項１において、前記光学素子は少なくとも一主面に光学膜を有する。これにより、接触等によって傷つき易い光学膜に傷が付かずに光学特性を良好に維持する。
【００１８】
同請求項６では、請求項１、２、３又は４の光学用梱包トレイに収容された光学素子とする。
【発明を実施するための最良の形態】
【００１９】
第１図は本発明の一実施形態を説明する光学用梱包トレイの図で、同図（ａ）は外カバーを除く平面図、同図（ｂ）は一部断面図である。なお、前従来例と同一部分には同番号を付与してその説明は簡略又は省略する。
【００２０】
光学用梱包トレイは、前述したように金型を用いた樹脂成形によっての容器本体１とカバー２を有する。ここでは、カバー２は内カバー２Ａと外カバー２Ｂからなる。内カバー２Ａは縦横に穴３を有し、穴３の底面には長円状例えば楕円状の開口部８を有する。穴３の外周には前述同様に縦横の溝４を有し、穴群の外周領域は平坦部とする。
【００２１】
外カバー２Ｂは内底面に平行に並んで突出した仕切部９を有し、外周領域を枠壁としてフランジを有する。ここでは、容器本体１のフランジよりも幅広として、容器本体１から外カバー２Ｂを外し易くする。
【００２２】
このようなものでは、前述同様に、容器本体１の内底面にクッション材５に設けて両面粘着シート６を敷設し、複数の光学素子７の一端側を固着して立設し、これらを縦横に配設する。そして、開口部８の設けられた穴３を有する内カバー２Ａを被せて、光学素子７の先端側を開口部８から突出させる。さらに、外カバー２Ｂを被せて例えば図示しない粘着テープによって容器本体１に固定する。
【００２３】
これによれば、各光学素子７は一端側が粘着シート６に固着し、先端側は内カバー２Ａの開口部８から突出して収容される。したがって、輸送時等における衝撃によって、光学素子７の一端側が剥がれたりして倒れようとしても、光学素子７の先端側は開口部８の内周面に当接して倒れを防止する。
【００２４】
そして、先端側が開口部８に当接しても、開口部８は長円状ここでは楕円状なので、光学素子７の例えば両側の稜線部が当接するのみで、両主面は当接しない。したがって、光学素子７の両主面特にＩＲカット膜や反射防止膜等の光学膜には傷が付かない。これにより、光学特性を良好に維持する。
【００２５】
また、ユーザは容器本体１から外カバー２Ｂを外して内カバー２Ａを被せたままとし、穴３の開口部８から突出した先端側の側面を、手動によるピンセットやマニュピュレータ等によって掴める。したがって、生産性に支障を来たすことがない。この場合、内カバー２Ａを被せたまま、作業工程内で移送できるので生産性をさらに高められる。
【００２６】
（他の事項）
上記実施形態では、内カバー２Ａの開口部８は長円状としたが、例えば第１図の符号Ｐで示す点線領域を拡大した第２図に示したようにしてもよい。すなわち、長円状の長軸方向の両端側に例えば矩形状とした窪み１０を設けてもよい。このようにすれば、例えばピンセットやマニュピレータで光学素子７の両側面を掴む場合、ピンセットやマニュピレータの挿入を容易にして、光学素子７を取り出しやすくする。
【００２７】
また、衝撃（振動）を吸収して剥がれを防止すべくクッション材５を使用したが、なかったとしても適用できる。また、両面粘着シート６を使用して光学素子７を固着したが接着力の弱い粘着剤等を用いた場合でも適用できることは勿論である。
【図面の簡単な説明】
【００２８】
【図１】本発明の一実施形態を説明する光学用梱包トレイの図で、同図（ａ）は外カバーを除く平面図、同図（ｂ）は一部断面図である。
【図２】本発明の一実施形態を説明する第１図の符号Ｐで示す点線領域を拡大した一部拡大図。
【図３】一従来例を説明する光学用梱包トレイの図で、同図（ａ）はカバーを除く平面図、同図（ｂ）はカバーの平面図、同図（ｃ）は一部断面図である。
【符号の説明】
【００２９】
１  容器本体、２  カバー、２Ａ  内カバー、２Ｂ  外カバー、３  穴、４  溝、５  クッション材、６  粘着シート、７  光学素子、８  開口部、９  仕切部。
【図１】
2008179414.tif 000003
【図２】
2008179414.tif 000004
【図３】
2008179414.tif 000005